(57)【要約】【課題】無理な体勢をとることなく、容易、且つ、迅速にスキー靴の着脱を行なえると共に、ステップイン又は固定レバー手動を選択することができるテレマークスキービンディングを提供する。【解決手段】スキー板２上に固設されるビンディング部３と、ビンディング部３に取り付けられるステップイン部４とを備え、ビンディング部３は、トウ台座３ａ上に固定され、ケーブル用係止溝３ｄを刻設されたトウ金具３ｃと、ケーブル用係止溝３ｄに係脱自在に係止されたテンションケーブル３ｅとを備えたテレマークスキービンディング１であって、ステップイン部４は、ローラー４ａと、ローラー４ａに固着され、スキー靴５のヒール部を固定自在の固定レバー４ｃと、固定レバー４ｃに固着され、テンションケーブル３ｅを押えるケーブル押さえ４ｂと、ローラー４ａに固着され、ローラー４ａの回転を所定位置で停止させるストッパー４ｄとを備えている。【選択図】図１
2009039313.tif 000002
【特許請求の範囲】
【請求項１】
スキー板上に固設されるビンディング部と、前記ビンディング部に取り付けられるステップイン部とを備え、
前記ビンディング部は、スキー板上面における所定位置に取り付けられた前方のトウ台座と、後方のヒール台座と、前記トウ台座上に固定され、ケーブル用係止溝を刻設されたトウ金具と、前記ケーブル用係止溝に係脱自在に係止されたテンションケーブルとを備え、
前記テンションケーブルは、トウケーブルと、前記トウケーブルの両後端に連設したコイルスプリングと、前記コイルスプリングを介して連設されたヒールケーブルとを備えたテレマークスキービンディングであって、
前記ステップイン部は、ローラーと、
前記ローラーに固着され、スキー靴のヒール部を固定自在の固定レバーと、
前記ローラーに固着され、前記ヒールケーブルを押えるケーブル押さえと、
前記ローラーに固着され、前記ローラーの回転時に前記ヒール台座の後端に当接することにより、前記ローラーの回転を所定位置で停止させるストッパーとを備えたことを特徴とするテレマークスキービンディング。
【請求項２】
前記ローラーは、所定の直径と厚さを有するローラー体から成り、前記ローラー体には側面視略Ｌ字状の切り欠きが形成され、前記ケーブル押さえは、前記切り欠きに当接するよう構成された側面視略Ｌ字状の小板からなり、前記固定レバーの基部は、前記切り欠きに当設するよう側面視略Ｌ字状に形成され、前記基部の背面部に刻設されたヒールケーブル用遊嵌溝に前記ヒールケーブルの後方部分を遊嵌させたのち、前記切り欠きに前記ケーブル押さえを当接させると共に、前記固定レバーの基部を嵌め込み、前記固定レバーの基部を前記ケーブル押さえと共に前記ローラー体に固着することを特徴とする請求項１記載のテレマークスキービンディング。
【請求項３】
前記ストッパーは、上面にスキー用ストックの先端を受け止める受穴が形成されているストッパー兼リリースレバーであり、
前記受穴にスキー用ストックの先端を挿入して、スキー用ストックを押し下げると、前記ローラーが回転し、前記固定レバーを回転させて、前記固定レバーによるスキー靴のヒール部の固定を解除するように構成されていることを特徴とする請求項１又は２記載のテレマークスキービンディング。
【発明の詳細な説明】
【技術分野】
【０００１】
本発明は、無理な体勢をとることなく、容易、且つ、迅速にスキー靴の着脱を行なえると共に、ステップイン又は固定レバー手動を選択することができるテレマークスキービンディングに関する。
【背景技術】
【０００２】
従来のこの種のテレマークスキービンディングの技術は、下記のようになっている。
（１）スキー靴の装着・取り外しを固定レバーによる手動で行っているものが大半である。
（２）ステップイン（踏み込み）式も市販されている。
尚、この種の先行技術文献として、例えば、下記の特許文献１がある。
特許文献１は、特に、転倒時に、過度の捻じれ応力がスキー靴とスキー板との間に生じると、スキー靴の開放を信頼性の高い方法で確実に行なうことができる、テレマークスキー、ノルディック山スキーおよびスキージャンプのための安全締め具を提供するものである。具体的には、スキー靴のソール部の前部分が、安全止め具と、前記ソール部内に位置する挿入部材に支承される後部部材との間に、弾性戻し手段を介して保持されるように構成されたものである。
【特許文献１】特表平１０−５０１７２２号公報
【発明の開示】
【発明が解決しようとする課題】
【０００３】
従来の技術には、一応下記のような問題点を指摘することができる。
「固定レバーを手動で装着・脱着を行っているもの」については、次のような問題点がある。
（１）脱着における無理な体勢を強いられる。
（２）脱着に時間を要する。
ステップイン式については、次のような問題点がある。
（１）滑走中、スキー靴とスキー板が外れやすく、そのために利用者が金具調整もしくは、外れないための工夫を必要とすることがある。
（２）雪面の状況等によっては、スキー板とスキー靴の装着が困難である。
【０００４】
以上の現状に鑑み、本発明は、無理な体勢をとることなく、容易、且つ、迅速にスキー靴の着脱を行なえると共に、ステップイン又は固定レバー手動を選択することができるテレマークスキービンディングを提供することを目的とする。
【課題を解決するための手段】
【０００５】
上記の課題を解決すべく、本発明は以下の構成を提供する。
請求項１に係る発明は、スキー板上に固設されるビンディング部と、前記ビンディング部に取り付けられるステップイン部とを備え、
前記ビンディング部は、スキー板上面における所定位置に取り付けられた前方のトウ台座と、後方のヒール台座と、前記トウ台座上に固定され、ケーブル用係止溝を刻設されたトウ金具と、前記ケーブル用係止溝に係脱自在に係止されたテンションケーブルとを備え、
前記テンションケーブルは、トウケーブルと、前記トウケーブルの両後端に連設したコイルスプリングと、前記コイルスプリングを介して連設されたヒールケーブルとを備えたテレマークスキービンディングであって、
前記ステップイン部は、ローラーと、
前記ローラーに固着され、スキー靴のヒール部を固定自在の固定レバーと、
前記ローラーに固着され、前記ヒールケーブルを押えるケーブル押さえと、
前記ローラーに固着され、前記ローラーの回転時に前記ヒール台座の後端に当接することにより、前記ローラーの回転を所定位置で停止させるストッパーとを備えたことを特徴とするテレマークスキービンディングを提供するものである。
【０００６】
請求項２に係る発明は、前記ローラーは、所定の直径と厚さを有するローラー体から成り、前記ローラー体には側面視略Ｌ字状の切り欠きが形成され、前記ケーブル押さえは、前記切り欠きに当接するよう構成された側面視略Ｌ字状の小板からなり、前記固定レバーの基部は、前記切り欠きに当設するよう側面視略Ｌ字状に形成され、前記基部の背面部に刻設されたヒールケーブル用遊嵌溝に前記ヒールケーブルの後方部分を遊嵌させたのち、前記切り欠きに前記ケーブル押さえを当接させると共に、前記固定レバーの基部を嵌め込み、前記固定レバーの基部を前記ケーブル押さえと共に前記ローラー体に固着することを特徴とする請求項１記載のテレマークスキービンディングを提供するものである。
【０００７】
請求項３に係る発明は、前記ストッパーは、上面にスキー用ストックの先端を受け止める受穴が形成されているストッパー兼リリースレバーであり、
前記受穴にスキー用ストックの先端を挿入して、スキー用ストックを押し下げると、前記ローラーが回転し、前記固定レバーを回転させて、前記固定レバーによるスキー靴のヒール部の固定を解除するように構成されていることを特徴とする請求項１又は２記載のテレマークスキービンディングを提供するものである。
【発明の効果】
【０００８】
本発明は、上述のように構成されているので、下記のような効果を期待することができる。
性能・機能面において信頼の高い、使い慣れた従来のテレマークスキービンディング（固定レバー手動式）に、本発明のステップイン部を付けることにより、更に、次のような効果が期待できる。
（１）スキー靴の着脱における無理な体勢から解放される。
（２）スキー板へのスキー靴の着脱を迅速に行なうことができる。
（３）雪面の状況等に応じて、「ステップイン（踏み込み）」又は「固定レバー手動」を自由に選択することができる。
以上の如く、山を自由に散策することができるテレマークスキーの利便性を高めることができる。
【発明を実施するための最良の形態】
【０００９】
以下、実施例を示した図面を参照しつつ本発明の実施の形態を説明する。
図１に於いて、１は本発明の第１発明のテレマークスキービンディングであり、テレマークスキービンディング１は、スキー板２上に固設されるビンディング部３と、ビンディング部３に取り付けられるステップイン部４とから構成されている。
図２に於いて、５はスキー靴で、５ａはヒール部分に形成されたヒール凹部、５ｂはフォクシング、５ｃはヒールソールである。スキー靴５は、テレマークスキービンディング１及びステップイン部４を介してスキー板２上に係止される。
【００１０】
図１に示すように、ビンディング部３は、スキー板２上面における所定位置に取り付けられた前方のトウ台座３ａと後方のヒール台座３ｂとトウ台座３ａ上に固定されたトウ金具３ｃと、トウ金具３ｃに刻設されたケーブル用係止溝３ｄと、このケーブル用係止溝３ｄに係脱自在に係止されたテンションケーブル３ｅから構成されている。
【００１１】
テンションケーブル３ｅは、平面視略Ｕ字状のトウケーブル３ｅ１と、このトウケーブル３ｅ１の両後端に連設した一方のコイルスプリング３ｅ２及び他方のコイルスプリング３ｅ３と、コイルスプリング３ｅ２及びコイルスプリング３ｅ３を介して連設された平面視略Ｕの字状のヒールケーブル３ｅ４とから構成されている。
この場合、他方のコイルスプリング３ｅ３とトウケーブル３ｅ１とは伸縮自在に連結されている。
即ち、トウケーブル３ｅ１の先端にネジ棒３ｅ１１が連結され、このネジ棒３ｅ１１は他方のコイルスプリング３ｅ３に回動自在に設けられたナット３ｅ３１に螺合され、一方のコイルスプリング３ｅ２もトウケーブル３ｅ１に回転自在に連結されている。
そして、ナット３ｅ３１を回動させることで、テンションケーブル３ｅ全体のテンションの状態を調節することができる。
以上述べたスキー板２、ビンディング部３、スキー靴５はいずれも公知のものである。
【００１２】
本発明の第１発明のテレマークスキービンディング１は、ステップイン部４に本発明の特徴を備えており、ステップイン部４は、ローラー４ａと、ローラー４ａに固着され、スキー靴５のヒール部を固定する固定レバー４ｃと、固定レバー４ｃに固着され、ヒールケーブル３ｅ４を押えるケーブル押さえ４ｂと、ローラー４ａに固着され、ローラー４ａの回転を所定位置で停止させるストッパー４ｄを備え、図３に示すように、ローラー４ａは、所定の直径と厚さを有するローラー体４ａ１に側面視略Ｌ字状の切り欠き４ａ２が形成されている。
この切り欠き４ａ２は、前方側の面４ａ２１と後方側の面４ａ２２から構成されている。
【００１３】
ケーブル押さえ４ｂは、前記切り欠き４ａ２の前方側の面４ａ２１と後方側の面４ａ２２に当接するよう構成された側面視略Ｌ字状の小板であるが、前方側の面４ａ２１と後方側の面４ａ２２に当接する状態で後述するように固定レバー４ｃと共にローラー体４ａ１にビスなどにより固定される。
【００１４】
固定レバー４ｃは、基部４ｃ１とヒール凹部用挿入部４ｃ２とフォクシング用圧着部４ｃ３と取手部４ｃ４とヒールケーブル用遊嵌溝４ｃ５から構成されている。
基部４ｃ１は、前記切り欠き４ａ２における前方側の面４ａ２１と後方側の面４ａ２２に当設するよう側面視略Ｌ字状に連結して構成されている。
ヒール凹部用挿入部４ｃ２は、基部４ｃの前端部分に、切り欠き４ａ２における前方側の面４ａ２１より外方に延出させた突出部４ｃ２１として構成され、この突出部４ｃ２１にはヒール凹部５ａのアールに対応する湾曲面４ｃ１ｒが形成されている。
基部４ｃの中間部には、スキー靴５のフォクシングを圧着するためのフォクシング用圧着部４ｃ３が形成され、フォクシング用圧着部４ｃ３の後端には、切り欠き４ａ２における後方側の面４ａ２２より外方で後方に延出し、且つ、少し下方に向け曲げた角度の板状体として連接される取手部４ｃ４が形成されている。
ヒールケーブル用遊嵌溝４ｃ５は、基部４ｃの背面部にヒールケーブル３ｅ４が遊嵌する溝として左右方向に刻設されている。
【００１５】
ここで、ヒールケーブル３ｅ４と、固定レバー４ｃにおける基部４ｃ１、ケーブル押さえ４ｂの関係を説明する。
先ず、固定レバー４ｃにおけるヒールケーブル用遊嵌溝４ｃ５にヒールケーブル３ｅ４の後方部分を遊嵌させたのち、ケーブル押さえ４ｂを当接させた切り欠き４ａ２に固定レバー４ｃの基部４ｃ１を嵌め込むとヒールケーブル３ｅ４はケーブル押さえ４ｂの上面に位置することになり、当該基部４ｃ１をケーブル押さえ４ｂと共にビス等でローラー体４ａ１の切り欠き４ａ２に固着する。
これにより、ローラー体４ａ１はヒールケーブル３ｅ４を軸として前後に回動自在に固着される。
【００１６】
次に、ストッパー４ｄについて説明する。
先ず、ストッパー４ｄの構成を説明する前に、ステップイン部４をスキー靴５に装着する際のストッパー４ｄの作用を説明する。
図２に示す如く、固定レバー４ｃの操作により、ローラー４ａを図に於いて反時計回り方向に回転させた時、ストッパー４ｄが、ヒール台座３ｂの後端に当接することで、ローラー４ａは、固定レバー４ｃを上方に向けた状態で固定される。
この状態において、ローラー４ａの外周面における固定レバー４ｃのヒール凹部用挿入部４ｃ２より少し下方部分に位置する押圧開始点ｐｔに、スキー靴５のヒールソール５ｃの下面後端を当接した状態で下方に踏み込む。
この踏み込みによりローラー４ａは少し前方方向（図に於いて時計回り方向）に回転し、図４に示す如くヒール凹部用挿入部４ｃ２がヒール凹部５ａに挿入される。
ヒールソール５ｃの下面後端を更に下方に押し込むとフォクシング用圧着部４ｃ３がフォクシング５ｂに当接しフォクシング５ｂを圧着する。当然、ヒール凹部用挿入部４ｃ２もヒール凹部５ａを圧着する。これにより、図５に示す如く、スキー靴５にステップイン部４を装着することができる。
【００１７】
スキー靴５からビンディング部３を取り外す場合は、取手部４ｃ４を下方に押しやることで、ローラー４ａは（反時計回りに）逆転し、図２の如く、ヒール凹部用挿入部４ｃ２がヒール凹部５ａから離脱する。
このローラー４ａの逆転に際し、ストッパー４ｄがヒール台座３ｂの後端に当接する。
仮に、ストッパー４ｄを備えていないと、ヒールソール５ｃの下面後端の前述の押圧開始点ｐｔへの位置決めができないので不便である。
【００１８】
次に、ストッパー４ｄの具体的な構成について説明する。
ストッパー４ｄは、略直方体状のブロックで構成され、ローラー４の周面における前記押圧開始点ｐｔを位置決めする位置にビスなどで固着されている。
即ち、図１０に示す如く、ケーブル押さえ４ｂと固定レバー４ｃとストッパー４ｄとが取り付けられたローラー４ａにおいて、当該ローラー４ａの中心Ｓとケーブル押さえ４ｂの前方側の辺の下面を通る１８０°ラインｒ１に対して、押圧開始点ｐｔを位置決めするためのストッパー４ｄの設置ラインｒ２がなす角度θは、１８０°より小さく設定されている。これにより、ストッパー４ｄによって位置決めされる押圧開始点ｐｔをローラー４ａの外周面におけるヒール凹部用挿入部４ｃ２より下方に離間させて設定することができ、その結果として、スキー靴５にステップイン部４を装着開始時に、スキー靴５のヒールソール５ｃの下面後端がヒール凹部用挿入部４ｃ２に接触することを防止することができる。
【００１９】
図６に於いて、１１は本発明の第２発明のテレマークスキービンディングであり、テレマークスキービンディング１１は、スキー板２に固設されるビンディング部３と、ビンディング部３に取り付けられるステップイン部１１ａとから構成されている。
【００２０】
スキー板２の構成と、ビンディング部３の構成は、第１発明のテレマークスキービンディング（図１に於いて１）におけるスキー板２上に固設されるビンディング部３の構成と同一である。
【００２１】
ステップイン部１１ａは、ローラー４ａとケーブル押さえ４ｂと固定レバー４ｃとストッパー兼リリースレバー１１ｂとから構成されている。
ローラー４ａ、ケーブル押さえ４ｂ、及び、固定レバー４ｃの構成は、第１発明のテレマークスキービンディング（図１に於いて１）における構成と同一である。
ストッパー兼リリースレバー１１ｂは、図８に示す如く、外方に延長する分厚い板状に構成され、図９に示す如く、上面にはストック６の先端６ａの受穴１１ｃが形成されている。
【００２２】
ストッパー兼リリースレバー１１ｂはローラー４ａにビス１１ｄなどで固定されている。そして、その取り付け位置は、第１発明のストッパー（図１に於いて４ｄ）の場合と同様に押圧開始点ｐｔ（図６参照）を位置決めする位置となっている。
【００２３】
スキー靴５にステップイン部４を装着する場合は、第１発明の場合と同様に行なえばよい。図７は、テレマークスキービンディング１１の装着完了の状態を示す
スキー靴５からステップイン部４を取り外す場合は、第１発明の場合と異なり、２通りの方法で行なうことができる。
第１の方法は、利用者の手で取手部４ｃ４を下方に押しやる方法で、取手部４ｃ４を下方に押しやるとローラー４ａは逆回転し、図６の如く、ヒール凹部用挿入部４ｃ２がヒール凹部５ａから離脱する。
第２の方法は、図９に示す如く、スキーヤーがストック６の先端６ａを受穴１１ｃに挿入し下方に降下させる方法で、ストック６の先端６ａをストッパー兼リリースレバー１１ｂの受穴１１ｃに挿入しそのまま下方に降下させると、ストッパー兼リリースレバー１１ｂが簡単に反転しヒール凹部５ａからヒール凹部用挿入部４ｃ２を離脱させることができる。
第２の方法によると、スキーヤーは立ったままビンディング部３からスキー靴５を外すことができる。
【００２４】
又、図１１に示す如く、ケーブル押さえ４ｂと固定レバー４ｃとストッパー兼リリースレバー１１ｂとが取り付けられたローラー４ａにおいて、当該ローラー４ａの中心Ｓとケーブル押さえ４ｂの前方側の辺の下面を通る１８０°ラインｒ１に対して、押圧開始点ｐｔを位置決めするためのストッパー兼リリースレバー１１ｂの設置ラインｒ２がなす角度θは、図１０の場合と同様に、１８０°より小さく設定されている。これにより、ストッパー兼リリースレバー１１ｂによって位置決めされる押圧開始点ｐｔをローラー４ａの外周面におけるヒール凹部用挿入部４ｃ２より下方に離間させて設定することができ、その結果として、ステップイン部４をスキー靴５に装着開始時にスキー靴５のヒールソール５ｃの下面後端がヒール凹部用挿入部４ｃ２に接触することを防止することができる。
【図面の簡単な説明】
【００２５】
【図１】本発明の第1発明によるテレマークスキービンディングの斜視図である。
【図２】本発明の第1発明によるテレマークスキービンディングの装着開始時の状態を説明する一部切欠左側面図である。
【図３】本発明の第1発明によるテレマークスキービンディングの要部の分解斜視図である。
【図４】本発明の第1発明によるテレマークスキービンディングの装着状態を説明する一部切欠左側面図である。
【図５】本発明の第1発明によるテレマークスキービンディングの装着完了の状態を示す一部切欠左側面図である。
【図６】本発明の第２発明によるテレマークスキービンディングの装着開始時の状態を示す一部切欠左側面図である。
【図７】本発明の第２発明によるテレマークスキービンディングの装着完了の状態を示す一部切欠左側面図である。
【図８】本発明の第２発明によるテレマークスキービンディングの要部の分解斜視図である。
【図９】本発明の第２発明によるテレマークスキービンディングに於いて、ストックによる操作の状態を説明する一部切欠左側面図である。
【図１０】本発明の第1発明によるストッパーの取り付け位置を説明する説明図である。
【図１１】本発明の第２発明によるストッパーの取り付け位置を説明する説明図である。
【符号の説明】
【００２６】
１，１１  テレマークスキービンディング
２  スキー板
３  ビンディング部
３ａ  トウ台座
３ｂ  ヒール台座
３ｃ  トウ金具
３ｄ  ケーブル用係止溝
３ｅ  テンションケーブル
３ｅ１  トウケーブル
３ｅ２，３ｅ３  コイルスプリング
３ｅ４  ヒールケーブル
４，１１ａ  ステップイン部
４ａ  ローラー
４ａ１  ローラー体
４ａ２  切り欠き
４ｂ  ケーブル押さえ
４ｃ  固定レバー
４ｃ１  基部
４ｃ２  ヒール凹部用挿入部
４ｃ３  フォクシング用圧着部
４ｃ４  取手部
４ｃ５  ヒールケーブル用遊嵌溝
４ｄ  ストッパー
５  スキー靴
５ａ  ヒール凹部
５ｂ  フォクシング
６  スキー用ストック
６ａ  先端
１１ｂ  ストッパー兼リリースレバー
１１ｃ  受穴
【図１】
2009039313.tif 000003
【図２】
2009039313.tif 000004
【図３】
2009039313.tif 000005
【図４】
2009039313.tif 000006
【図５】
2009039313.tif 000007
【図６】
2009039313.tif 000008
【図７】
2009039313.tif 000009
【図８】
2009039313.tif 000010
【図９】
2009039313.tif 000011
【図１０】
2009039313.tif 000012
【図１１】
2009039313.tif 000013